(57)【要約】【課題】ＦＡＸ通信規格に依存せずに送信機が受信機側の異常を早期に検出して対応できるファクシミリ通信装置等を提供する。【解決手段】ファクシミリ通信で使用する回線の電圧を測定する回線電圧測定部２９と、ファクシミリ通信中に、回線電圧に所定の変動が生じたことを検出する検出部３４と、検出部によって所定の変動が検出されたことに基づいて、相手機が回線を開放したか否かを判定する判定部３５を有し、回線捕捉後でダイアル前の回線電圧を測定し、これを第１電圧として記憶しておき、ファクシミリ通信中に回線電圧が第１電圧以上に上昇したとき、相手機が回線を切断（開放）したと判定する。【選択図】図１
2018074509.tif 000002
【特許請求の範囲】
【請求項１】
ファクシミリ通信で使用する回線の電圧を測定する回線電圧測定部と、
ファクシミリ通信中に、前記回線の電圧に所定の変動が生じたことを検出する検出部と、
前記検出部によって前記所定の変動が検出されたことに基づいて、相手機が回線を開放したか否かを判定する判定部と、
を有する
ことを特徴とするファクシミリ通信装置。
【請求項２】
前記回線電圧測定部が測定した回線捕捉後で発呼前の前記回線の電圧である第１電圧を記憶する回線電圧記憶部を有し、
前記検出部は、ファクシミリ通信中に前記回線の電圧が前記回線電圧記憶部に記憶された前記第１電圧以上の電圧になる第１変動を検出し、
前記判定部は、前記第１変動が検出されることを含む所定の判定条件が成立した場合に、相手機が回線を開放したと判定する
ことを特徴とする請求項１に記載のファクシミリ通信装置。
【請求項３】
前記検出部は、前記回線の電圧が周期的に変動する第２変動をさらに検出し、
前記所定の判定条件は、前記検出部によって前記第１変動が検出された後に前記第２変動が検出されることを含む
ことを特徴とする請求項２に記載のファクシミリ通信装置。
【請求項４】
前記判定部は、前記検出部によって前記第１変動が検出された後、相手機との疎通確認を行い、
前記所定の判定条件は、前記疎通確認において相手機から応答がないことをさらに含む
ことを特徴とする請求項２に記載のファクシミリ通信装置。
【請求項５】
前記判定部は、画データの送出中に前記第１変動が検出された場合は、前記疎通確認として、前記画データの送出を停止した上で、ポストメッセージを送出し、該ポストメッセージに対する相手機からの応答を待つ動作を行う
ことを特徴とする請求項４に記載のファクシミリ通信装置。
【請求項６】
前記ポストメッセージにおいて、前記画データの送出を停止せずに送出を継続した場合に通知する予定であったフレーム数を通知する
ことを特徴とする請求項５に記載のファクシミリ通信装置。
【請求項７】
ビジートーン検出部をさらに備え、
前記判定部は、前記検出部によって前記第１変動が検出された後、前記ビジートーン検出部によるビジートーンの検出動作を行い、
前記所定の判定条件は、前記第１変動が検出された後の前記検出動作においてビジートーンが検出されることさらに含む
ことを特徴とする請求項２乃至６のいずれか１つに記載のファクシミリ通信装置。
【請求項８】
通信エラーの種類を特定する通信エラー特定部を備え、
前記通信エラー特定部は、相手機が回線を開放した場合の通信エラーの種類を、ファクシミリ手順上での前記開放が生じたタイミングに応じて切り換える
ことを特徴とする請求項１乃至７のいずれか１つに記載のファクシミリ通信装置。
【請求項９】
ファクシミリ通信装置が、ファクシミリ通信で使用する回線の電圧を繰り返し測定するステップと、
前記ファクシミリ通信装置が、ファクシミリ通信中に、前記回線の電圧に所定の変動が生じたことを検出するステップと、
前記ファクシミリ通信装置が、前記検出するステップで前記所定の変動が検出されたことに基づいて、相手機が回線を開放したか否かを判定するステップと、
を有する
ことを特徴とする回線断判定方法。
【請求項１０】
ファクシミリ通信に使用する回線の電圧を測定する測定部を備えたファクシミリ通信装置のＣＰＵで実行されるプログラムであって、
前記測定部を用いて前記回線の電圧を繰り返し測定するステップと、
ファクシミリ通信中に、前記回線の電圧に所定の変動が生じたことを検出するステップと、
前記所定の変動が検出されたことに基づいて、相手機が回線を開放したか否かを判定するステップと、
を有する
ことを特徴とする回線断判定プログラム。
【発明の詳細な説明】
【技術分野】
【０００１】
本発明は、ファクシミリ通信中に相手機が回線を開放（切断）したことを検出可能なファクシミリ通信装置、回線断判定方法およびプログラムに関する。
【背景技術】
【０００２】
ファクシミリ（ＦＡＸ）通信に使用される社会基盤として、ＩＰ−ＰＢＸ（Intenet Protocol Private Branch eXchange）や各種Network-Gateway装置、ＴＡ(Terminal Adapter)など、途中の経路にネットワークを介在する環境(デジタル回線)が増加している。これらの回線を利用したＦＡＸ通信（ＶｏＩＰ(Voice over Internet Protocol)通信／ＦｏＩＰ(Fax over Internet Protocol)通信）では、回線障害が多くて通信エラーが顕著に増えて来たため、通信エラーの原因や障害発生のタイミングをより具体的に把握することが求められるようになってきた。
【０００３】
その具体的事例としては、主に、受信機が異常を検出して回線を切断した場合に、送信機側では該受信機による回線の切断を直ぐに認識できないため、受信機が回線を切断してから、長い場合には、数分間に渡って送信機が回線を捕捉し続けてしまい、直ぐに回線を切断できないという問題があった。
【０００４】
この問題に対応するファクシミリ通信装置として、下記特許文献１には、画データ送信中に受信機側からフラグシーケンスを送信機に向けて送出する通信方式を採用し、送信機は受信機からのフラグシーケンスが途絶えたことをもって受信機での異常発生を検出するファクシミリ通信装置が開示されている。
【先行技術文献】
【特許文献】
【０００５】
【特許文献１】特開平９−１４９２２６号公報
【発明の概要】
【発明が解決しようとする課題】
【０００６】
特許文献１に開示のファクシミリ通信装置では、一般的なファクシミリ通信の規格である、Ｇ３−ＦＡＸ規格（ＩＴＵ−Ｔによる標準規格）とは異なる特殊な規格（Ｇ３Ｃ方式）を用いる必要がある。広く普及しているＧ３−ＦＡＸ規格では、画データ送信中に受信機からフラグシーケンスを送出する手順が無いため、特許文献１に開示の方法を採用して、前述の問題に対応することはできなかった。
【０００７】
本発明は、上記の問題を解決しようとするものであり、ＦＡＸの通信規格に依存せずに送信機が受信機側の異常を早期に検出して対応することのできるファクシミリ通信装置、回線断判定方法およびプログラムを提供することを目的としている。
【課題を解決するための手段】
【０００８】
かかる目的を達成するための本発明の要旨とするところは、次の各項の発明に存する。
【０００９】
［１］ファクシミリ通信で使用する回線の電圧を測定する回線電圧測定部と、
ファクシミリ通信中に、前記回線の電圧に所定の変動が生じたことを検出する検出部と、
前記検出部によって前記所定の変動が検出されたことに基づいて、相手機が回線を開放したか否かを判定する判定部と、
を有する
ことを特徴とするファクシミリ通信装置。
【００１０】
上記発明では、判定部は、ファクシミリ通信中の回線電圧の変動に基づいて、相手機が回線を開放したか否かを判定する。これにより、プロトコルに依存することなく、相手機が回線を開放したことをファクシミリ通信中のいつでも検出することができる。
【００１１】
［２］前記回線電圧測定部が測定した回線捕捉後で発呼前の前記回線の電圧である第１電圧を記憶する回線電圧記憶部を有し、
前記検出部は、ファクシミリ通信中に前記回線の電圧が前記回線電圧記憶部に記憶された前記第１電圧以上の電圧になる第１変動を検出し、
前記判定部は、前記第１変動が検出されることを含む所定の判定条件が成立した場合に、相手機が回線を開放したと判定する
ことを特徴とする［１］に記載のファクシミリ通信装置。
【００１２】
上記発明では、回線電圧記憶部は、回線捕捉後のダイアル前に回線電圧を測定して第１電圧として記憶し、判定部は、通信中に回線電圧が第１電圧以上になることを含む所定の判定条件が成立した場合に、相手機が回線を開放したと判定する。
【００１３】
［３］前記検出部は、前記回線の電圧が周期的に変動する第２変動をさらに検出し、
前記所定の判定条件は、前記検出部によって前記第１変動が検出された後に前記第２変動が検出されることを含む
ことを特徴とする［２］に記載のファクシミリ通信装置。
【００１４】
上記発明では、判定部は、ファクシミリ通信中に回線電圧が第１電圧以上になり、かつ、その後、回線電圧が周期的に変動することを含む所定の判定条件が成立した場合に、相手機が回線を開放したと判定する。第１変動の検出をトリガにして第２変動を検出すればよい。
【００１５】
［４］前記判定部は、前記検出部によって前記第１変動が検出された後、相手機との疎通確認を行い、
前記所定の判定条件は、前記疎通確認において相手機から応答がないことをさらに含む
ことを特徴とする［２］に記載のファクシミリ通信装置。
【００１６】
上記発明では、判定部は、ファクシミリ通信中に回線電圧が第１電圧以上になり、かつ、その後の疎通確認で相手機が応答しないことを含む所定の判定条件が成立した場合に、相手機が回線を開放したと判定する。第１変動の検出をトリガにして疎通確認を行えばよい。
【００１７】
［５］前記判定部は、画データの送出中に前記第１変動が検出された場合は、前記疎通確認として、前記画データの送出を停止した上で、ポストメッセージを送出し、該ポストメッセージに対する相手機からの応答を待つ動作を行う
ことを特徴とする［４］に記載のファクシミリ通信装置。
【００１８】
［６］前記ポストメッセージにおいて、前記画データの送出を停止せずに送出を継続した場合に通知する予定であったフレーム数を通知する
ことを特徴とする［５］に記載のファクシミリ通信装置。
【００１９】
［７］ビジートーン検出部をさらに備え、
前記判定部は、前記検出部によって前記第１変動が検出された後、前記ビジートーン検出部によるビジートーンの検出動作を行い、
前記所定の判定条件は、前記第１変動が検出された後の前記検出動作においてビジートーンが検出されることさらに含む
ことを特徴とする［２］乃至［６］のいずれか１つに記載のファクシミリ通信装置。
【００２０】
上記発明では、判定部は、ファクシミリ通信中に回線電圧が第１電圧以上になり、かつ、その後、ビジートーンが検出されることを含む所定の判定条件が成立した場合に、相手機が回線を開放したと判定する。
【００２１】
［８］通信エラーの種類を特定する通信エラー特定部を備え、
前記通信エラー特定部は、相手機が回線を開放した場合の通信エラーの種類を、ファクシミリ手順上での前記開放が生じたタイミングに応じて切り換える
ことを特徴とする［１］乃至［７］のいずれか１つに記載のファクシミリ通信装置。
【００２２】
上記発明では、通信エラーの種類を、相手機が回線を開放したときの、ファクシミリ手順上でのタイミングに応じて、より細かく分けて特定する。
【００２３】
［９］ファクシミリ通信装置が、ファクシミリ通信で使用する回線の電圧を繰り返し測定するステップと、
前記ファクシミリ通信装置が、ファクシミリ通信中に、前記回線の電圧に所定の変動が生じたことを検出するステップと、
前記ファクシミリ通信装置が、前記検出するステップで前記所定の変動が検出されたことに基づいて、相手機が回線を開放したか否かを判定するステップと、
を有する
ことを特徴とする回線断判定方法。
【００２４】
［１０］ファクシミリ通信に使用する回線の電圧を測定する測定部を備えたファクシミリ通信装置のＣＰＵで実行されるプログラムであって、
前記測定部を用いて前記回線の電圧を繰り返し測定するステップと、
ファクシミリ通信中に、前記回線の電圧に所定の変動が生じたことを検出するステップと、
前記所定の変動が検出されたことに基づいて、相手機が回線を開放したか否かを判定するステップと、
を有する
ことを特徴とする回線断判定プログラム。
【発明の効果】
【００２５】
本発明に係るファクシミリ通信装置、回線断判定方法およびプログラムによれば、ＦＡＸの通信規格に依存せずに送信機側が受信機側の異常を早期に検出して回線を切断する等の対応を採ることができる。
【図面の簡単な説明】
【００２６】
【図１】本発明の実施の形態に係るファクシミリ通信装置の概略構成を示すブロック図である。
【図２】相手機による回線の開放を確認可能な期間を従来と本発明で比較した図である。
【図３】回線電圧を記憶するタイミング等を示す図である。
【図４】相手機が回線を切断したタイミングに応じてエラー情報を詳細に設定したことを示す説明図である。
【図５】画データ送信中に回線電圧が第１電圧以上に上昇して回線を切断する場合の通信シーケンスの一例を示す図である。
【図６】第１変動を検出後に回線電圧が周期的に変動する様子を示す図である。
【図７】疎通確認で相手機から応答がない場合の通信シーケンスの一例を示す図である。
【図８】疎通確認で相手機から応答がある場合の通信シーケンスの一例を示す図である。
【図９】モデムのモードを切り替える際に生じるトーン検知の一時的なオフを無視する補正を説明する図である。
【図１０】第１電圧、第２電圧を測定して回線電圧記憶部に保存する際にファクシミリ通信装置が行う処理を示す流れ図である。
【図１１】相手機による回線の開放の監視に関してファクシミリ通信装置がファクシミリ通信中に行う処理を示す流れ図である。
【発明を実施するための形態】
【００２７】
以下、図面に基づき本発明の実施の形態を説明する。
【００２８】
図１は、本発明の実施の形態に係るファクシミリ通信装置１０の概略構成を示すブロック図である。ファクシミリ通信装置１０は、デジタル回線やアナログ回線で構成された通信回線を通じて他のファクシミリ通信装置１０と接続される。
【００２９】
ファクシミリ通信装置１０は、ファクシミリ通信中に回線電圧を監視し、回線電圧が所定の変動パターンで変動したことに基づいて、相手機が回線を開放したか否かを判定する機能を備えている。
【００３０】
従来、相手機の状態を確認する方法(相手機が回線を開放したことの確認方法)はファクシミリ通信で用いるプロトコルに依存しており、図２の左側に示すように、従来、相手機による回線の開放を確認可能な期間は、画データ送信中以外の期間に限られていた。すなわち、画データ送信中は、プロトコルのやりとりがなく、画データを一方的に送出するため相手機の状態を確認することはできない。
【００３１】
そのため、たとえば、画データの送信フェーズに入って直ぐに相手機が回線を切断したようなケースでは、送信側は、相手機による回線の切断を、少なくとも送信予定の画データの送信が終了するまで（Ｇ３規格では最大約４分が経過するまで）、認識できなかった。また、画データの送信中のどのタイミングで相手機が回線を切断したかを特定することもできなかった。
【００３２】
これに対して、本発明に係るファクシミリ通信装置１０では、ファクシミリ通信中に回線電圧が所定の変動パターンで変動したことに基づいて、相手機が回線を開放（切断）したことを認識するので、図２の右側に示すように、ファクシミリ通信中のいつでも相手機の状態(回線を開放したか否か)を確認することができる。
【００３３】
図１に戻って説明を続ける。ファクシミリ通信装置１０は、当該ファクシミリ通信装置１０の動作を統括制御するＣＰＵ（Central Processing Unit）１１にバス１２を介してＲＯＭ（Read Only Memory）１３と、ＲＡＭ（Random Access Memory）１４と、ハードディスク装置１５と、不揮発メモリ１６と、画像処理部１７と、スキャナ部２１と、プリンタ部２２と、表示部２３と、操作部２４と、ネットワークＩ／Ｆ部２５と、モデム２６とを接続して構成される。モデム２６の配下にはＤＡＡ(Data Access Arrangement)２８が接続され、ＤＡＡ２８にはファクシミリ通信に使用される回線（電話回線）が接続される。
【００３４】
ＲＯＭ１３は各種のプログラムや固定データが格納された読み出し専用メモリである。ＣＰＵ１１がＲＯＭ１３に格納されているプログラムに従って処理を実行することによってファクシミリ通信装置１０としての各機能が実現される。
【００３５】
ＲＡＭ１４はＣＰＵ１１がプログラムを実行する際に各種のデータを一時的に格納するワークメモリや画データを格納する画像メモリ、通信用のバッファメモリ等として使用される。またＲＡＭ１４は、後述する所定のタイミングで測定した回線電圧を記憶する回線電圧記憶部１８の役割を果たす。
【００３６】
ハードディスク装置１５は大容量の不揮発記憶装置であり、アプリケーションプログラム、ジョブや画像データなどの保存に使用される。
【００３７】
不揮発メモリ１６は、電源をオフしても記憶内容が保持されるメモリであり、ユーザ情報や各種の設定情報などが登録される。
【００３８】
画像処理部１７は、画像の拡大・縮小や解像度変換、符号化、復号化などの処理を行う。
【００３９】
スキャナ部２１は、原稿を光学的に読み取って画像データを取得する機能を果たす。スキャナ部２１は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００４０】
プリンタ部２２は、画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の方式のプリンタであっても構わない。
【００４１】
表示部２３は、液晶ディスプレイなどで構成され、操作画面、設定画面などの各種の画面を表示する。操作部２４は、スタートキー、ストップキー、テンキーなどの各種のボタン類と、液晶ディスプレイの表面に設けられて押下された座標位置を検出するタッチパネルなどで構成され、ユーザがファクシミリ通信装置１０に対して行う各種の操作を受け付ける。
【００４２】
ネットワークＩ／Ｆ部２５は、ＬＡＮ（Local Area Network）やインターネットなどのネットワークを通じて外部端末と通信する機能を果たす。モデム２６は、デジタル信号をアナログ変調信号に変換したりその逆変換をしたりする機能を果たす。モデム２６は、トーン検出部２７の機能を備えており、ビジートーンなどの検出に使用される。
【００４３】
ＤＡＡ２８は、回線に応じて終端抵抗を切り換える等、アナログフロントエンドとしての機能を果たす。また、ＤＡＡ２８は、回線電圧を測定する回線電圧測定部２９の機能を有する。回線電圧測定部２９は、たとえば、２００ｍｓ毎に回線電圧を計測し、その値をＤＡＡ２８の内部レジスタに格納する。ＣＰＵ１１は該内部レジスタに格納されている回線電圧の値をモデム２６を介して読み出すことができる。なお、回線電圧測定部２９は別途の回路で構成してもよい。
【００４４】
ＣＰＵ１１はプログラムを実行することで、プロトコル制御部３１、回線電圧監視部３２、回線電圧記憶制御部３３、電圧変動検出部３４、判定部３５、通信エラー特定部３６等の機能を果たす。
【００４５】
プロトコル制御部３１は、ファクシミリ通信を行う際に所定のプロトコルに従って通信手順を制御する。たとえば、ＩＴＵ−ＴのＧ３規格に従って通信手順を制御する。回線電圧監視部３２は、ＤＡＡ２８の回線電圧測定部２９が測定した回線電圧を、逐次、ＤＡＡ２８の内部レジスタから読み出して取得する。ここでは、回線捕捉後で発呼前から回線電圧の取得を開始し、ファクシミリ通信中、すなわち回線を切断するまで、たとえば２００ｍｓ周期で、繰り返し回線電圧を取得する。
【００４６】
回線電圧記憶制御部３３は、回線捕捉後で発呼(ダイアル)前の回線電圧（第１電圧）と、相手機が応答した直後の回線電圧（第２電圧）を回線電圧記憶部１８（ＲＡＭ１４）に保存する処理を行う。
【００４７】
電圧変動検出部３４は、回線電圧が所定の変動パターンで変動したことを検出する。詳細には、相手機が応答した後、回線電圧が第１電圧以上に上昇する第１変動、該第１変動の後で周期的に回線電圧が変動する第２変動を検出する。
【００４８】
判定部３５は、電圧変動検出部３４によって検出された回線電圧の変動等を含む所定の判定条件に基づいて、相手機が回線を開放したか否かを判定する。
【００４９】
通信エラー特定部３６は、通信エラーが生じた場合に、その通信エラーの種類を判断して特定する。特に、相手機が回線を開放(切断)したと判定した時点がファクシミリ通信手順のどのタイミングに位置するかに応じて、エラーの種類(エラー情報)を細分化して特定する。
【００５０】
図３は、回線電圧記憶部１８に記憶する回線電圧等を示している。ファクシミリ通信装置１０は、ファクシミリ通信（送信）を行うに際して、回線捕捉後、発呼（ダイアル）する前に回線電圧を測定して回線電圧記憶部１８に記憶する（同図（ａ））。回線捕捉後、発呼前に測定した回線電圧を第１電圧とする。たとえば、第１電圧はおよそ６．５Ｖになる。
【００５１】
次に、ファクシミリ通信装置１０は、相手機が応答した直後（ＦＡＸ通信開始時）の回線電圧を測定して回線電圧記憶部１８に記憶する（同図（ｂ））。回線電圧は、相手機が応答すると、発呼前の第１電圧に比べて低い電圧になる。相手機応答後の回線電圧を第２電圧とする。たとえば、第２電圧は、およそ５．５Ｖになる。
【００５２】
ファクシミリ通信中、相手機が回線を捕捉していれば、回線電圧はほぼ第２電圧に維持される。一方、相手機が回線を開放すると、回線電圧は第２電圧から上昇する(同図（ｃ）)。そこで、ファクシミリ通信装置１０は、相手機が応答した後のファクシミリ通信中に回線電圧が第１電圧以上に上昇するような回線電圧の変動（第１変動）が検出された場合に、相手機が回線を切断（開放）したと判断する。
【００５３】
なお、第１変動の検出は、相手機が回線を開放したことを判定するための判定条件の１つであり、相手機が回線を開放したことをより確実に判定するために、他の条件を判定条件に付加してもよい。この点については後述する。
【００５４】
本発明では、ファクシミリ通信装置１０は、回線電圧の変動に基づいて相手機が回線を開放したことを判定するので、ファクシミリ通信中のどのタイミングにおいても、相手機が回線を開放したことを直ちに認識することができる。そのため、従来は「相手機応答なし」という１つのエラー情報しか示すことができなかった期間に生じた相手機による回線の開放に対して、ファクシミリ通信装置１０は、図４に示すように、より詳細なエラー情報（エラーの種類）を特定することができる。
【００５５】
詳細には、相手機が回線を開放したことを、画データの送信開始直後に検出した場合、通信エラー特定部３６は、相手機で画データが検出されていないことを示す「画データ検出されず」をエラー情報として特定する(図４のＥ１参照)。
【００５６】
相手機が回線を開放したことを、画データの送信開始から所定時間経過以降の画データ送信中に検出した場合、通信エラー特定部３６は、画像データ送信中に相手機で異常が生じたことを示す「画データ送出中の受信機異常」をエラー情報として特定する(図４のＥ２参照)。上記所定時間は、たとえば、Ｔ．３０勧告書に記載のＴ２タイマー（６±１秒）である。
【００５７】
相手機が回線を開放したことを、ＰＰＲ−ＥＯＰ等のポストメッセージ（ページエンド情報）を送出してからＭＣＦの受信を待機している期間に検出した場合、通信エラー特定部３６は、相手機でポストメッセージが受信できていないことを示す「ポストメッセージ受信できず」をエラー情報として特定する(図４のＥ３参照)。
【００５８】
また、相手機が回線を開放したことを、トレーニング信号の送出後、トレーニング結果の受信を待機している際に検出した場合、通信エラー特定部３６は、能力交換に失敗したことを示す「能力交換失敗」をエラー情報として特定する（図４のＥ４参照）。
【００５９】
ファクシミリ通信装置１０は、これらのエラー情報を、操作パネルの表示部２３に表示したり、通信結果レポートに含めたり、通信履歴として残したりすることでユーザや管理者に通知する。
【００６０】
図５は、画データ送信中に回線電圧が第１電圧以上に上昇する第１変動を検出して回線を切断する場合の通信シーケンスの一例を示している。この例では、受信機は、時刻Ｔ１に画データを検出できない異常が発生し、回線を切断する。これにより、送信機側の回線電圧が第１電圧以上に上昇する。
【００６１】
送信機は、ファクシミリ通信中、常に回線電圧を監視しているので、第１電圧以上に回線電圧が上昇したことを、受信機が回線を切断した直後の時刻Ｒ２に検出する。そして、送信機は、画データの送出を中断（中止）し、相手機に対して回線切断の指示を送信した後、直ちに、回線を切断する。
【００６２】
次に、相手機が回線を開放したことをより確実に判定するために、第１変動の検出のほかに他の条件を判定条件に付加する場合について説明する。
【００６３】
＜付加条件（１）＞
図６に示すように、回線電圧監視部３２は、ファクシミリ通信中に回線電圧が第１電圧以上に上昇する第１変動を検出した後も回線電圧の監視を継続し、判定部３５は、回線電圧が周期的に変動する第２変動が検出された場合に、相手機が回線を開放したと判定する。この周期的に回線電圧が変動する際の変動幅は、５００ｍＶ程度である。第１変動の検出をトリガにして、第２変動の有無を監視すればよい。
【００６４】
なお、周期的な回線電圧の変動は、ＴＡから送られてくるビジートーン信号に由来するものである。したがって、ファクシミリ通信装置１０は、回線電圧の周期的な変動の検出に代えて、ビジートーンを検出してもよい。ただし、相手機が回線を開放した場合であっても、ネットワークによっては、ビジートーンが到来しない場合がある。そのため、ファクシミリ通信装置１０は、回線電圧が第１電圧以上に上昇する第１変動を検出した後に周期的な回線電圧の変動（第２変動）が検出されない場合や第１変動の検出後にビジートーンが検出されない場合であっても、相手機が回線を開放したと判断して、回線を直ぐに切断するようにしてもよい。
【００６５】
＜付加条件２＞
付加条件２の判定は、たとえば、相手機による回線切断の判定を、前述の付加条件１によって確定させることができないような場合に行う。付加条件２の判定では、相手機との疎通確認を行う。具体的には、ファクシミリ通信装置１０は、画データの送信中に回線電圧が第１電圧以上に上昇する第１変動が検出されたら、画データの送出を中断し、ポストメッセージ（ページエンド情報）を送信する。すなわち、ファクシミリ通信装置１０は、第１変動の検出をトリガにして付加条件２の判定（疎通確認）を行う。
【００６６】
ファクシミリ通信装置１０は、ポストメッセージに対して、相手機から応答があれば、相手機は回線を切断（開放）していないと判断する。ファクシミリ通信装置１０は、相手機から応答がなければ相手機は回線を切断していると判断する。
【００６７】
なお、ポストメッセージ（ページエンド情報）で通知するフレームＮｏ（送信したフレーム数、フレーム番号を示す情報）は、画データの送出を中断するまでに送出したフレームＮｏではなく、本来、送信すべき（画データの送出を停止せずに送出を継続した場合に通知する予定）のフレームＮｏを通知する。
【００６８】
これにより、相手機が回線を切断していない場合には、本来送信すべきフレームＮｏのうち受信機が正常に受信していないフレームＮｏを示す再送要求が受信機から送られて来る。送信機は、再送要求で通知されたフレームＮｏが示すフレームを再送すれば、Ｇ３規格に準拠した正しい通信手順で送信を継続することができる。
【００６９】
図７は、付加条件２の判定動作を行った場合の通信シーケンスの一例であって、送信機側での第１変動の検出要因が相手機による回線切断（開放）であった場合を示している。この例では、受信機は、時刻Ｔ１に画データを検出できない異常が発生し、回線を切断する。これにより、送信機側の回線電圧が第１電圧以上に上昇する。
【００７０】
送信機は、ファクシミリ通信中、常に回線電圧を監視しているので、第１電圧以上に回線電圧が上昇したことを、受信機が回線を切断した直後の時刻Ｒ２に検出する。この時点で送出済みのフレームＮｏを（ｍ）とする。送信機は、画データの送出を中断（中止）し、上記（ｍ）ではなく、本来送信すべきフレームＮｏ（ｎ）を含むポストメッセージを相手機に送信して疎通確認を行う。
【００７１】
図７の場合、相手機が実際に回線を切断しているので、ポストメッセージに対する応答は返ってこない。そこで、送信機は、相手機に対して回線切断の指示を送出し、その後、回線を切断する。
【００７２】
図８は、付加条件２の判定動作を行った場合の通信シーケンスの一例であって、相手機が回線を切断していないにもかかわらず、何らかの要因で送信機が第１変動を検出した場合を示している。
【００７３】
この例では、受信機は回線を切断していないが、送信機は時刻Ｒ２に回線電圧が第１電圧以上に上昇する第１変動を検出する。この時点で送出済みのフレームＮｏを（ｍ）とする。送信機は、画データの送出を中断（中止）し、上記（ｍ）ではなく、本来送信すべきフレームＮｏ（ｎ）を含むポストメッセージを相手機に送信して疎通確認を行う。
【００７４】
図８の場合、相手機は回線を捕捉して通信を継続しているので、ポストメッセージを受信すると、再送要求を返送する。すなわち、受信機は、ポストメッセージではフレームＮｏが（ｎ）であるにもかかわらず、フレームＮｏ（ｍ）までしか受信していないので、（ｎ）に対して正常に受信していないフレームＮｏを示す再送要求を送信機に対して返送する。
【００７５】
送信機は、相手機から再送要求を受信すると、該再送要求が示すフレームを相手機に対して再送する。その後の手順は通常と同様のため説明を省略する。
【００７６】
次に、ビジートーンの検出について補足説明する。
【００７７】
信号送出中にビジートーンの検出を行う場合、送出する信号がビジートーンに重畳されるため、ビジートーンがどのような周波数・レベルで検出されるかが不明確である。そこで、予めテストモード等を実行してビジートーンがどのような周波数・レベルで検出されるかを測定し、適切なパラメータをトーン検出部２７に与えて誤検出を回避する。
【００７８】
また、図９に示すように、モデム２６のセットアップ状態（モード）をＶ２１からＶ１７に切り替える等を行うと、モードの切り替え時にトーン検知が一時的にオフになる。
【００７９】
たとえば、相手機が回線を切断したことの判定を、第１変動が発生した後、３回連続してビジートーンが検出されたことで確定させる場合（付加条件１を併用する場合）を考える。このとき、Ｎ回目（Ｎは３以下）のビジートーンの検出中に上記モードの切り替えによる一時的なトーン検出のオフが発生すると、ファクシミリ通信装置１０は、ビジートーンの検出回数をリセットして最初からカウントをやり直すことになる。その結果、相手機の回線切断の判定を確定させるまでにさらなる時間を要し、送信機側での回線切断が遅くなってしまう。
【００８０】
そこで、本発明では、ファクシミリ通信装置１０は、第１変動の発生後、ビジートーンの検出を行っているときにモデム２６のモードを切り替えたときは、図９に示すように、その切り替え時に発生するトーン検知の一時的なオフは無視し、該一時的なオフが無かったものとして、ビジートーンの検出および連続発生回数のカウントを継続する。
【００８１】
図１０は、第１電圧、第２電圧を測定して回線電圧記憶部１８に保存する際にファクシミリ通信装置１０が行う処理を示す流れ図である。ファクシミリ通信装置１０は、ファクシミリ送信のために回線を捕捉したら、ダイアルする前に、回線電圧を測定し、これを第１電圧として回線電圧記憶部１８に保存する（ステップＳ１０１）。ファクシミリ通信装置１０は、その後、ダイアルし、相手機が応答する(回線電圧が降下する)のを待つ（ステップＳ１０２;Ｎｏ）。ファクシミリ通信装置１０は、相手機が応答(回線電圧が降下)したら(ステップＳ１０２;Ｙｅｓ)、回線電圧を測定し、これを第２電圧として回線電圧記憶部１８に保存する(ステップＳ１０３)。
【００８２】
図１１は、相手機による回線開放の監視に関してファクシミリ通信装置１０がファクシミリ通信中に行う処理を示す流れ図である。ファクシミリ通信装置１０は、プロトコルに従ってファクシミリ通信を開始した後は(ステップＳ２０１)、回線電圧を繰り返し測定する(ステップＳ２０２)。ファクシミリ通信装置１０は、測定した回線電圧が、回線電圧記憶部１８に記憶してある第１電圧（回線捕捉後でダイアル前の回線電圧）以上か否かを判断する（ステップＳ２０３）。
【００８３】
ファクシミリ通信装置１０は、ステップＳ２０２で測定した回線電圧が第１電圧以上でなければ（ステップＳ２０３;Ｎｏ）、通信終了か否かを調べ(ステップＳ２０４)、通信終了でなければ(ステップＳ２０４;Ｎｏ)、ステップＳ２０２に戻って処理を継続する。通信終了ならば（ステップＳ２０４;Ｙｅｓ）、ファクシミリ通信装置１０は、回線を切断して(ステップＳ２０５)、本処理を終了する。
【００８４】
ファクシミリ通信装置１０は、ステップＳ２０２で測定した回線電圧が第１電圧以上ならば（ステップＳ２０３;Ｙｅｓ）、ファクシミリ手順上の現在の位置(タイミング)を調べ、ファクシミリ手順上の位置に応じたエラー情報を特定する。詳細には、ファクシミリ通信装置１０は、ファクシミリ手順が画データの送出中ならば（ステップＳ２０６;Ｙｅｓ）、「画データ送出中の受信機異常」をエラー情報に特定し（図４のＥ２）、該エラー情報を保存する（ステップＳ２０７）。その後、ファクシミリ通信装置１０は、ポストメッセージを相手機に通知し（ステップＳ２０８）、相手機からの応答を待機する。
【００８５】
ファクシミリ通信装置１０は、相手機から応答（再送要求）があれば（ステップＳ２０９;Ｎｏ)、ステップＳ２０２に戻って処理を継続する。ファクシミリ通信装置１０は、相手機から応答が無ければ（ステップＳ２０９;Ｙｅｓ）、回線を切断し（ステップＳ２１３）、操作パネルの表示部２３等を用いてエラー通知を行って(ステップＳ２１４)、本処理を終了する。
【００８６】
ファクシミリ通信装置１０は、ファクシミリ手順上の現在の位置が能力交換中ならば(ステップＳ２０９;Ｎｏ、Ｓ２１０;Ｙｅｓ)、「能力交換失敗」をエラー情報に特定し（図４のＥ４）、該エラー情報を保存する（ステップＳ２１１）。ファクシミリ通信装置１０は、その後、回線を切断し（ステップＳ２１３）、エラー通知を行って(ステップＳ２１４)、本処理を終了する。
【００８７】
ファクシミリ通信装置１０は、ファクシミリ手順上の現在の位置が能力交換中でなければ（ステップＳ２１０;Ｎｏ）、「ポストメッセージ受信できず」をエラー情報に特定し（図４のＥ３）、該エラー情報を保存する（ステップＳ２１２）。ファクシミリ通信装置１０は、その後、回線を切断し（ステップＳ２１３）、エラー通知を行って(ステップＳ２１４)、本処理を終了する。
【００８８】
このように、本発明では、ファクシミリ通信装置１０は、ファクシミリ通信中の回線電圧の変動に基づいて相手機が回線を切断したか否かを判断するので、ファクシミリの通信手順に依存することなく、相手機による回線の切断（開放）を、ファクシミリ通信中にいつでも直ちに検出することができる。
【００８９】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９０】
ファクシミリ通信中に相手機が回線を切断したことを判定するための判定条件は、回線電圧が第１電圧以上に上昇する第１変動のみでもよいし、第１変動に付加条件１（周期的変動やビジートーン検出）を組み合わせる、第１変動に付加条件２（疎通確認）を組み合わせる、第１変動に付加条件１および付加条件２を組み合わせる、としてもよい。第１変動の検出は必須の判定条件であり、付加条件１、２の判定を行う場合のトリガとなる。
【００９１】
実施の形態では、回線捕捉後でダイアル前に回線電圧を測定し、これを第１電圧として回線電圧記憶部１８に記憶するようにしたが、判定部３５は、ファクシミリ通信中に回線電圧が所定電圧（たとえば、０．５Ｖ）以上に上昇した、あるいは所定電圧以上に所定時間以上継続して上昇したことをもって、第１変動が発生したと判定するようにしてもよい。
【００９２】
本発明は、Ｇ３、SuperＧ３に限定されず、いかなるＦＡＸ規格にも適用することができる。
【符号の説明】
【００９３】
１０…ファクシミリ通信装置
１１…ＣＰＵ
１２…バス
１３…ＲＯＭ
１４…ＲＡＭ
１５…ハードディスク装置
１６…不揮発メモリ
１７…画像処理部
１８…回線電圧記憶部
２１…スキャナ部
２２…プリンタ部
２３…表示部
２４…操作部
２５…ネットワークＩ／Ｆ部
２６…モデム
２７…トーン検出部
２８…ＤＡＡ
２９…回線電圧測定部
３１…プロトコル制御部
３２…回線電圧監視部
３３…回線電圧記憶制御部
３４…電圧変動検出部
３５…判定部
３６…通信エラー特定部
【図１】
2018074509.tif 000003
【図２】
2018074509.tif 000004
【図３】
2018074509.tif 000005
【図４】
2018074509.tif 000006
【図５】
2018074509.tif 000007
【図６】
2018074509.tif 000008
【図７】
2018074509.tif 000009
【図８】
2018074509.tif 000010
【図９】
2018074509.tif 000011
【図１０】
2018074509.tif 000012
【図１１】
2018074509.tif 000013